【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  弾球遊技機の本体枠と、この本体枠に着脱自在に固定される遊技盤と、これら本体枠と遊技盤に設けられて弾球遊技機を制御する各種制御装置と、本体枠に設けられて各種制御装置を駆動するために必要な電源電圧を生成する電源装置と、この電源装置と接続されて各種制御装置へ必要な電源電圧を分配する分電基板とを備えた遊技機であって、
本体枠の各種制御装置は、払出制御装置と発射制御装置とを含み、
遊技盤の各種制御装置は、主制御装置、ランプ制御装置、音声制御装置、および図柄制御装置を含み、ランプ制御装置、音声制御装置、および図柄制御装置を同一の基板に配設し、
分電基板は、本体枠に設けられて別体の電源装置と接続され、本体枠の各種制御装置に必要な電源電圧を分配する第１の分電基板と、遊技盤に設けられて第１の分電基板と単一の電源ケーブルにより着脱自在に接続され、遊技盤の各種制御装置に必要な電源電圧を分配する第２の分電基板とを含み、この第２の分電基板を遊技盤の主制御装置とは別に構成したことを特徴とする遊技機。
【請求項２】  弾球遊技機の本体枠と、この本体枠に着脱自在に固定される遊技盤と、これら本体枠と遊技盤に設けられて弾球遊技機を制御する各種制御装置と、本体枠に設けられて各種制御装置を駆動するために必要な電源電圧を生成する電源装置と、この電源装置と接続されて各種制御装置へ必要な電源電圧を分配する分電基板とを備えた遊技機であって、
本体枠の各種制御装置は、払出制御装置と発射制御装置とを含み、
遊技盤の各種制御装置は、主制御装置、ランプ制御装置、および音声制御装置を含み、ランプ制御装置と音声制御装置を同一の基板に配設し、
分電基板は、本体枠に設けられて別体の電源装置と接続され、本体枠の各種制御装置に必要な電源電圧を分配する第１の分電基板と、遊技盤に設けられて第１の分電基板と単一の電源ケーブルにより着脱自在に接続され、遊技盤の各種制御装置に必要な電源電圧を分配する第２の分電基板とを含み、この第２の分電基板を遊技盤の主制御装置とは別に構成したことを特徴とする遊技機。
【手続補正２】
【補正対象書類名】明細書
【補正対象項目名】０００７
【補正方法】変更
【補正の内容】
【０００７】
【課題を解決するための手段】
本発明においては上記課題を達成するため、弾球遊技機の本体枠と、この本体枠に着脱自在に固定される遊技盤と、これら本体枠と遊技盤に設けられて弾球遊技機を制御する各種制御装置と、本体枠に設けられて各種制御装置を駆動するために必要な電源電圧を生成する電源装置と、この電源装置と接続されて各種制御装置へ必要な電源電圧を分配する分電基板とを備えたものであって、
本体枠の各種制御装置は、払出制御装置と発射制御装置とを含み、
遊技盤の各種制御装置は、主制御装置、ランプ制御装置、音声制御装置、および図柄制御装置を含み、ランプ制御装置、音声制御装置、および図柄制御装置を同一の基板に配設し、
分電基板は、本体枠に設けられて別体の電源装置と接続され、本体枠の各種制御装置に必要な電源電圧を分配する第１の分電基板と、遊技盤に設けられて第１の分電基板と単一の電源ケーブルにより着脱自在に接続され、遊技盤の各種制御装置に必要な電源電圧を分配する第２の分電基板とを含み、この第２の分電基板を遊技盤の主制御装置とは別に構成したことを特徴としている。
【手続補正３】
【補正対象書類名】明細書
【補正対象項目名】０００８
【補正方法】変更
【補正の内容】
【０００８】
本発明によれば、分電基板が、本体枠に設けられて別体の電源装置と接続され、本体枠の各種制御装置に必要な電源電圧を分配する第１の分電基板と、遊技盤に設けられて第１の分電基板と単一の電源ケーブルにより着脱自在に接続され、遊技盤の各種制御装置に必要な電源電圧を分配する第２の分電基板とに分割されているので、遊技盤に設けられている各種制御装置において、必要な電源電圧が異なるような変更が生じて遊技盤の交換が必要となったとき、遊技盤に設けられている第２の分電基板の変更のみで足りて本体枠の変更を不必要とすることができる（本体枠の共通化が図れる）。また、遊技盤を交換するとき、電源ケーブルについては、第１の分電基板と第２の分電基板とを接続する１本の電源ケーブルのみ取り外せば足り、容易に交換することができる。
【手続補正４】
【補正対象書類名】明細書
【補正対象項目名】０００９
【補正方法】変更
【補正の内容】
【０００９】
また、本発明においては上記課題を達成するため、弾球遊技機の本体枠と、この本体枠に着脱自在に固定される遊技盤と、これら本体枠と遊技盤に設けられて弾球遊技機を制御する各種制御装置と、本体枠に設けられて各種制御装置を駆動するために必要な電源電圧を生成する電源装置と、この電源装置と接続されて各種制御装置へ必要な電源電圧を分配する分電基板とを備えたものであって、
本体枠の各種制御装置は、払出制御装置と発射制御装置とを含み、
遊技盤の各種制御装置は、主制御装置、ランプ制御装置、および音声制御装置を含み、ランプ制御装置と音声制御装置を同一の基板に配設し、
分電基板は、本体枠に設けられて別体の電源装置と接続され、本体枠の各種制御装置に必要な電源電圧を分配する第１の分電基板と、遊技盤に設けられて第１の分電基板と単一の電源ケーブルにより着脱自在に接続され、遊技盤の各種制御装置に必要な電源電圧を分配する第２の分電基板とを含み、この第２の分電基板を遊技盤の主制御装置とは別に構成したことを特徴としている。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００３９
【補正方法】変更
【補正の内容】
【００３９】
【発明の効果】
以上のように本発明によれば、分電基板を、本体枠に設けられて別体の電源装置と接続され、本体枠の各種制御装置に必要な電源電圧を分配する第１の分電基板と、遊技盤に設けられて第１の分電基板と単一の電源ケーブルにより着脱自在に接続され、遊技盤の各種制御装置に必要な電源電圧を分配する第２の分電基板とに分割し、第２の分電基板を遊技盤の主制御装置とは別に構成するので、遊技盤に設けられている各種制御装置において、必要な電源電圧が異なるような変更が生じて遊技盤の交換が必要となったとき、遊技盤に設けられている第２の分電基板の変更のみで足りて本体枠の変更を不必要とすることができる（本体枠の共通化が図れる）とともに、遊技盤を交換するとき電源ケーブルについては、第１の分電基板と第２の分電基板とを接続する１本の電源ケーブルのみ取り外せば足りて交換を容易とすることができる効果がある。
また、遊技盤に設けられている各種制御装置に主制御装置、ランプ制御装置、音声制御装置および図柄制御装置を含む遊技機（例えば、第１種特別電動役物を有する弾球遊技機）において、遊技盤に設けられている各種制御装置に関し、必要な電源電圧が異なるような変更（例えば、第１種特別電動役物を有する弾球遊技機から第２種または第３種特別電動役物を有する弾球遊技機への変更）が生じて遊技盤の交換が必要となったとき、本体枠の変更を不必要とするとともに、遊技盤の容易な交換を実現することができる効果がある。
また、ランプ制御装置、音声制御装置および図柄制御装置が同一の基板に構成されている場合に、遊技盤に設けられている各種制御装置において、必要な電源電圧が異なるような変更が生じて遊技盤の交換が必要となったとき、本体枠の変更を不必要とするとともに、遊技盤の交換を容易とすることが可能になる。
【手続補正１２】
【補正対象書類名】明細書
【補正対象項目名】００４０
【補正方法】変更
【補正の内容】
【００４０】
また、遊技盤に設けられている各種制御装置に主制御装置、ランプ制御装置および音声制御装置を含む遊技機（例えば、第２種特別電動役物を有する弾球遊技機）において、遊技盤に設けられている各種制御装置に関し、必要な電源電圧が異なるような変更（例えば、第２種特別電動役物を有する弾球遊技機から第１種または第３種特別電動役物を有する弾球遊技機への変更）が生じて遊技盤の交換が必要となったとき、本体枠の変更を不必要とするとともに、遊技盤の交換を容易にすることが可能になる。
さらに、ランプ制御装置および音声制御装置が同一の基板に構成されている場合に、遊技盤に設けられている各種制御装置において必要な電源電圧が異なるような変更が生じて遊技盤の交換が必要となったとき、本体枠の変更を不必要とするとともに、遊技盤の交換を容易にすることができるという効果がある。
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】